(57)【要約】【課題】時間長が十分に長い入力信号の信号波形を表示しつつ波形判定を正確に行う。【解決手段】波形データおよび判定エリアＡ１〜Ａ４を示すエリアデータを記憶する記憶部と、波形データおよびエリアデータを読み出して表示部３の表示画面１１に信号波形および判定エリアを表示させると共に判定エリア内から信号波形が外れているか否かの波形判定を実行する制御部とを備え、制御部は、表示画面１１をレベル軸方向に分割した分割表示画面１２〜１５を表示させ、記憶部に記憶されている波形データを時間軸に沿って分割表示画面１２〜１５と同数に分割した波形データに対応する信号波形Ｓ１〜Ｓ４を分割表示画面１２〜１５にレベル軸方向に圧縮して表示させると共に信号波形Ｓ１〜Ｓ４に対応するエリアデータを記憶部から読み出して判定エリアＡ１〜Ａ４を分割表示画面１２〜１５にレベル軸方向に圧縮して表示させる。【選択図】図４
2005189066.tif 000002
【特許請求の範囲】
【請求項１】
入力信号をデータ化した波形データおよび当該入力信号用に設定された判定エリアを示すエリアデータを記憶する記憶部と、
前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、
前記記憶部には、複数の前記判定エリアにそれぞれ対応する前記エリアデータが複数記憶され、
前記制御部は、前記表示部の前記表示画面をレベル軸方向に分割した複数の分割表示画面を表示させ、前記記憶部に記憶されている前記波形データを時間軸に沿って複数に分割した波形データに対応する前記信号波形を当該各分割表示画面に前記レベル軸方向に対して圧縮した状態で表示させると共に当該各分割表示画面に表示させている当該各信号波形にそれぞれ対応する前記エリアデータを前記記憶部から読み出して前記判定エリアを当該各分割表示画面に前記レベル軸方向に対して圧縮した状態で表示させる波形判定装置。
【請求項２】
入力信号をデータ化した波形データおよび当該入力信号用に設定された判定エリアを示すエリアデータを記憶する記憶部と、
前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、
前記制御部は、前記表示部の前記表示画面をレベル軸方向に分割した複数の分割表示画面を表示させ、前記記憶部に記憶されている前記波形データおよび前記エリアデータを時間軸に沿って複数に分割した波形データおよびエリアデータにそれぞれ対応する前記信号波形および前記判定エリアを当該各分割表示画面に前記レベル軸方向に対して圧縮した状態で表示させる波形判定装置。
【請求項３】
前記制御部は、前記各分割表示画面のうちの一つに表示されている前記信号波形および前記判定エリアを前記レベル軸方向に対して拡大した状態で前記表示画面に表示させると共に当該拡大した状態の信号波形に対して前記少なくとも一方の波形判定を実行する請求項１または２記載の波形判定装置。
【請求項４】
前記制御部は、前記表示部に表示させている前記各分割表示画面毎に前記少なくとも一方の波形判定を実行する請求項１または２記載の波形判定装置。
【発明の詳細な説明】
【技術分野】
【０００１】
本発明は、入力信号の信号波形を表示画面に表示させると共に判定エリア内から信号波形が外れているか否かの波形判定および判定エリア内に信号波形が含まれているか否かの波形判定の少なくとも一方を実行する波形判定装置に関するものである。
【背景技術】
【０００２】
この種の波形判定装置として、特開平６−２４９６８２号公報に開示された波形判定装置が知られている。この波形判定装置は、ＣＰＵと、入力信号の信号波形（被判定波形）をディジタルの波形データに変換するＡ／Ｄ変換回路と、制御用のプログラムが格納されているＲＯＭと、被判定波形データなどを記憶するＲＡＭと、判定エリア（判定波形）などが表示されるディスプレイと、ディスプレイの表示画面上の波形データが記憶されるＶ−ＲＡＭと、操作部とを備え、操作部を操作することにより、ディスプレイに判定エリアおよび入力信号の信号波形などが表示されるように構成されている。この場合、表示画面に映し出されている判定エリアのデータはＶ−ＲＡＭに保持されている。
【特許文献１】特開平６−２４９６８２号公報（第２−３頁）
【発明の開示】
【発明が解決しようとする課題】
【０００３】
ところが、従来の波形判定装置には、以下のような課題がある。すなわち、この波形判定装置では、ディスプレイの表示画面に映し出される判定エリアのデータがＶ−ＲＡＭに保持されている。また、この判定エリアのデータは、ディスプレイの表示画面に映し出される入力信号の信号波形に対応させて作成される。したがって、例えば、入力信号が長時間に亘るときのように入力信号の波形データが増大してこのままではディスプレイの表示画面内に表示し切れないときには、入力信号の信号波形を表示画面内に表示し得るデータ量まで波形データを圧縮する方法、およびＡ／Ｄ変換回路のサンプリング周期を予め遅くして入力信号の信号波形を表示画面内に表示し得るデータ量に抑制する方法のいずれかを採用する必要がある。しかしながら、前者の方法には、時間軸（横軸）方向において波形が潰れるために、信号波形の微妙な変化を表示することができない結果、入力信号の信号波形に対する正確な判定を行うのが困難であるという課題が存在する。一方、後者の方法には、時間軸方向に対する分解能が低下する結果、入力信号の信号波形に生じた突発的な変化を取りこぼす可能性があり、前者と同じく、入力信号の信号波形に対する正確な判定を行うのが困難であるという課題が存在する。
【０００４】
本発明は、上記の課題に鑑みてなされたものであり、時間長が十分に長い入力信号の信号波形を表示画面に表示しつつ、入力信号の信号波形に対する波形判定を正確に行い得る波形判定装置を提供することを主目的とする。
【課題を解決するための手段】
【０００５】
上記目的を達成すべく請求項１記載の波形判定装置は、入力信号をデータ化した波形データおよび当該入力信号用に設定された判定エリアを示すエリアデータを記憶する記憶部と、前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、前記記憶部には、複数の前記判定エリアにそれぞれ対応する前記エリアデータが複数記憶され、前記制御部は、前記表示部の前記表示画面をレベル軸方向に分割した複数の分割表示画面を表示させ、前記記憶部に記憶されている前記波形データを時間軸に沿って複数に分割した波形データに対応する前記信号波形を当該各分割表示画面に前記レベル軸方向に対して圧縮した状態で表示させると共に当該各分割表示画面に表示させている当該各信号波形にそれぞれ対応する前記エリアデータを前記記憶部から読み出して前記判定エリアを当該各分割表示画面に前記レベル軸方向に対して圧縮した状態で表示させる。なお、本明細書において「レベル軸」とは、表示画面に表示される信号波形についての電気的パラメータ（電圧や電流等）の大きさを示す方向（振幅方向）に沿った軸、つまり、時間軸と直交する軸をいう。
【０００６】
また、請求項２記載の波形判定装置は、入力信号をデータ化した波形データおよび当該入力信号用に設定された判定エリアを示すエリアデータを記憶する記憶部と、前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、前記制御部は、前記表示部の前記表示画面をレベル軸方向に分割した複数の分割表示画面を表示させ、前記記憶部に記憶されている前記波形データおよび前記エリアデータを時間軸に沿って複数に分割した波形データおよびエリアデータにそれぞれ対応する前記信号波形および前記判定エリアを当該各分割表示画面に前記レベル軸方向に対して圧縮した状態で表示させる。
【０００７】
また、請求項３記載の波形判定装置は、請求項１または２記載の波形判定装置において、前記制御部は、前記各分割表示画面のうちの一つに表示されている前記信号波形および前記判定エリアを前記レベル軸方向に対して拡大した状態で前記表示画面に表示させると共に当該拡大した状態の信号波形に対して前記少なくとも一方の波形判定を実行する。この場合、本発明における「レベル軸方向に対して拡大した状態で表示させる」とは、表示画面内において信号波形の一部を表示させる際に、レベル軸方向に対して圧縮した状態で信号波形全体を表示画面内に表示させているときには、その信号波形の非圧縮状態での表示と、圧縮状態での表示よりも圧縮の程度が小さい表示（つまり、その圧縮した状態での表示を拡大した表示）との両者を意味する。
【０００８】
また、請求項４記載の波形判定装置は、請求項１または２記載の波形判定装置において、前記制御部は、前記表示部に表示させている前記各分割表示画面毎に前記少なくとも一方の波形判定を実行する。
【発明の効果】
【０００９】
請求項１記載の波形判定装置では、制御部が、表示画面をレベル軸方向に分割した複数の分割表示画面を表示部に表示させ、記憶部に記憶されている波形データを時間軸に沿って複数（例えば、前記分割表示画面と同数）に分割した波形データに対応する信号波形を各分割表示画面に表示画面の例えば上方に位置する分割表示画面側からレベル軸方向に対して圧縮した状態で表示させると共に各分割表示画面に表示させている各信号波形にそれぞれ対応するエリアデータを記憶部から読み出して判定エリアを各分割表示画面にレベル軸方向に対して圧縮した状態で表示させる。この結果、波形データを時間軸方向に圧縮したり、サンプリング周期を遅くしたりすることなく、時間長が十分に長い入力信号の信号波形を判定エリアと共に表示画面に表示させることができる。したがって、入力信号の信号波形に対する波形判定を行う際に、時間軸（横軸）方向における波形の潰れや、時間軸方向についての分解能の低下（突発的な変化の取りこぼし）を回避しつつ、オペレータに対して、入力信号の信号波形全体の様子を正確に把握させることができる。
【００１０】
また、請求項２記載の波形判定装置では、制御部が、表示画面をレベル軸方向に分割した複数の分割表示画面を表示部に表示させ、記憶部に記憶されている波形データおよびエリアデータを時間軸に沿って複数（例えば、前記分割表示画面と同数）に分割した波形データおよびエリアデータにそれぞれ対応する信号波形および判定エリアを各分割表示画面に表示画面の例えば上方に位置する分割表示画面側からレベル軸方向に対して圧縮した状態で表示させる。この結果、波形データを時間軸方向に圧縮したり、サンプリング周期を遅くしたりすることなく、時間長が十分に長い入力信号の信号波形を判定エリアと共に表示画面に表示させることができる。したがって、入力信号の信号波形に対する波形判定を行う際に、時間軸（横軸）方向における波形の潰れや、時間軸方向についての分解能の低下（突発的な変化の取りこぼし）を回避しつつ、オペレータに対して、入力信号の信号波形の全体の様子を正確に把握させることができる。
【００１１】
また、請求項３記載の波形判定装置によれば、制御部が、一つの分割表示画面に表示させている信号波形および判定エリアをレベル軸方向に対して拡大した状態で表示画面に表示させると共に波形判定を実行することにより、時間軸方向と共にレベル軸方向に対する分解能を高めた状態で判定エリアを用いた信号波形に対する波形判定を精度良く実行することができる。また、従来の波形判定装置と比較して、同じ時間長の波形をＡ／Ｄ変換回路によってサンプリングして波形判定する場合、そのサンプリング周期を早めることができるため、そのように構成したときには、波形判定の精度を十分に高めることができる。
【００１２】
また、請求項４記載の波形判定装置によれば、制御部が、表示部に表示させている各分割表示画面毎に波形判定を実行することにより、時間軸方向の分解能を高めた状態で判定エリアを用いた信号波形全体に対する波形判定を一度に実行することができる。
【発明を実施するための最良の形態】
【００１３】
以下、添付図面を参照して、本発明に係る波形判定装置について説明する。
【００１４】
最初に、図１を参照して、波形判定装置１の構成について説明する。
【００１５】
同図に示すように、波形判定装置１は、測定部２、表示部３、操作部４、制御部５、ＲＡＭ６およびＲＯＭ７を備えて構成されている。測定部２は、入力信号Ｓを所定のサンプリング周期でアナログ−ディジタル変換して波形データＤｗを生成すると共に、その波形データＤｗを制御部５に出力する。表示部３は、ＬＣＤパネルまたはブラウン管（ＣＲＴ）で構成され、制御部５の制御下で、図４に示すように、表示画面１１中に表示させた分割表示画面１２〜１５に、波形データＤｗに基づく信号波形Ｗ１〜Ｗ４およびエリアデータＤａ１〜Ｄａ４に基づく判定エリアＡ１〜Ａ４を縦軸（本発明におけるレベル軸）方向に対して圧縮した状態で表示する。また、表示部３は、制御部５の制御下で、図５に示すように、各分割表示画面１２〜１５のうちの一つに表示している信号波形Ｗ１〜Ｗ４の一つおよび判定エリアＡ１〜Ａ４の一つを拡大した状態（例えば縦軸方向に対して非圧縮の通常状態）で表示画面１１に表示する。操作部４には、表示部３に表示された分割表示画面１２〜１５の一つを選択して通常状態で表示させるための選択キーなどの各種キー（図示せず）が配列されている。制御部５は、測定部２から出力された波形データＤｗをＲＡＭ６に記憶させる記憶制御を実行すると共に、その波形データＤｗに基づく信号波形Ｗ１〜Ｗ４とエリアデータＤａ１〜Ｄａ４に基づく判定エリアＡ１〜Ａ４とを表示部３に表示させる表示制御などを実行する。ＲＡＭ６は、本発明における記憶部に相当し、制御部５の制御下で、測定部２から出力された波形データＤｗを記憶する。また、ＲＡＭ６には、入力信号Ｓに対して予め設定された図２に示す各判定エリアＡ１〜Ａ４を示すエリアデータＤａ１〜Ｄａ４が記憶されている。この場合、各エリアデータＤａ１〜Ｄａ４は、同図に示すようなノイズが重畳していない正常状態の入力信号Ｓの信号波形に基づいて、各判定エリアＡ１〜Ａ４に対応する区間Ｔ１，Ｔ２，Ｔ３，Ｔ４内の入力信号Ｓの各信号波形を各判定エリアＡ１〜Ａ４の範囲内にそれぞれ包含するように予め設定されている。また、各区間Ｔ１，Ｔ２，Ｔ３，Ｔ４（合計時間Ｔｓ）は、その長さが表示部３に表示される時間軸（横軸）長とそれぞれ一致し、かつ互いに連続するように予め設定されている。ＲＯＭ７は、制御部５の動作プログラムなどを記憶する。
【００１６】
次に、波形判定装置１の全体的な動作について説明する。
【００１７】
まず、波形判定装置１は、トリガ測定により、入力信号Ｓの記録を実行する。具体的には、制御部５は、測定部２から入力した波形データＤｗのレベルを監視して、予め設定されたトリガ条件（一例として、波形データＤｗのレベルが所定の設定値を上向きで横切るという条件）を満たした時点で、波形データＤｗをＲＡＭ６に記憶させる記憶制御を開始する。また、制御部５は、記憶制御の開始から合計時間Ｔｓと同じ時間を経過した時点で、ＲＡＭ６への波形データＤｗの記憶を終了する。このようにして、制御部５は、一例として、図３に示す入力信号Ｓについての波形データＤｗをＲＡＭ６に記憶させる。
【００１８】
続いて、制御部５は、入力信号Ｓの信号波形および判定エリアＡ１〜Ａ４を表示部３に表示させる。具体的には、制御部５は、表示部３の表示画面１１を縦軸方向で分割して、図４に示すように、例えば、各判定エリアＡ１〜Ａ４の数と同数の分割表示画面１２〜１５を表示させる。次いで、制御部５は、ＲＡＭ６に記憶されている波形データＤｗを時間軸に沿って例えば分割表示画面１２〜１５の数と同数（複数の一例）の区間Ｔ１，Ｔ２，Ｔ３，Ｔ４（図３参照）毎にグループ化（分割）する。この場合、波形データＤｗは、各区間Ｔ１，Ｔ２，Ｔ３，Ｔ４に含まれる４つの信号波形Ｗ１，Ｗ２，Ｗ３，Ｗ４に対応するようにして分割される。
【００１９】
続いて、制御部５は、図４に示すように、分割した波形データＤｗに対応する各信号波形Ｗ１〜Ｗ４を縦軸方向に対して圧縮した状態で、各分割表示画面１２〜１５に表示させる。この際に、制御部５は、例えば、表示部３における表示画面１１の上方に位置する分割表示画面１２側から折り返すようにして信号波形Ｗ１〜Ｗ４を連続的に表示させる。また、制御部５は、各分割表示画面１２〜１５に表示させている信号波形Ｗ１〜Ｗ４に対応するエリアデータＤａ１〜Ｄａ４をＲＡＭ６から読み出して、図４に示すように、各判定エリアＡ１〜Ａ４を縦軸方向に対して圧縮した状態で各分割表示画面１２〜１５にそれぞれ表示させる。これにより、波形データＤｗを時間軸方向に圧縮したり、サンプリング周期を遅くしたりすることなく、時間長が十分に長い入力信号Ｓの信号波形Ｗ１〜Ｗ４について、時間軸（横軸）方向における波形の潰れや、時間軸方向についての分解能の低下（突発的な変化の取りこぼし）を回避しつつ、オペレータに対して、入力信号Ｓの信号波形Ｗ１〜Ｗ４全体の様子を正確に把握させることができる。
【００２０】
続いて、制御部５は、入力信号Ｓの信号波形に対する波形判定を実行する。具体的には、制御部５は、操作部４の選択キーが操作されて分割表示画面１２〜１５のうちの一つが選択されたときに、分割表示画面１２〜１５の表示に代えて、図５に示すように、選択された分割表示画面に含まれている信号波形Ｗ１〜Ｗ４の一つおよび判定エリアＡ１〜Ａ４の一つを拡大した状態（例えば非圧縮の通常状態）で重ねて表示画面１１に表示させる。一例として、同図では、図４における分割表示画面１４が選択されて、信号波形Ｗ３および対応する判定エリアＡ３が表示画面１１に表示された状態を示している。次いで、制御部５は、波形データＤｗに基づいて生成した波形表示用データと、エリアデータＤａ３に基づいて生成したエリア表示用データとを比較することにより、表示画面１１に表示されている信号波形Ｗ３が判定エリアＡ３の範囲内から外れているか否かを判定し、信号波形Ｗ３全体が判定エリアＡ３の範囲内から外れていないときに、波形良好（「ＯＫ」）と判定し、信号波形Ｗ３の少なくとも一部が判定エリアＡ３の範囲を外れているときに、波形不良（「ＮＧ」）と判定する。この場合、操作部４の設定操作に応じて、信号波形Ｗ３の全部が判定エリアＡ３を外れているか否かを判定することもできる。一例として、以下、信号波形Ｗ３の少なくとも一部が判定エリアＡ３を外れているか否かを判定する波形判定を例に挙げて説明する。図５に示す例では、表示画面１１に表示されている信号波形Ｗ３の一部が判定エリアＡ３の範囲を外れているため、制御部５は、波形不良と判定する。
【００２１】
このように、この波形判定装置１によれば、制御部５が、複数の分割表示画面１２〜１５を表示させ、時間軸に沿って分割した波形データＤｗに対応する信号波形Ｗ１〜Ｗ４と各判定エリアＡ１〜Ａ４とを縦軸方向に対して圧縮した状態で各分割表示画面１２〜１５に表示させることにより、波形データＤｗを時間軸方向に圧縮したり、サンプリング周期を遅くしたりすることなく、時間長が十分に長い入力信号Ｓの全体波形（各信号波形Ｗ１〜Ｗ４）を各判定エリアＡ１〜Ａ４と共に表示画面１１に表示させることができる。したがって、入力信号Ｓの各信号波形Ｗ１〜Ｗ４に対する波形判定を行う際に、時間軸（横軸）方向における波形の潰れや、時間軸方向についての分解能の低下（突発的な変化の取りこぼし）を回避しつつ、入力信号Ｓの各信号波形Ｗ１〜Ｗ４の全体の様子を正確に把握させることができる。
【００２２】
また、入力信号Ｓの各信号波形Ｗ１〜Ｗ４に対する波形判定を実行する際には、分割表示画面１２〜１５の表示に代えて、選択された分割表示画面に含まれている信号波形Ｗ１〜Ｗ４の一つおよび判定エリアＡ１〜Ａ４の一つを拡大した状態（非圧縮の通常状態）で表示画面１１にそれぞれ表示させて波形判定を実行することにより、時間軸方向と共に縦軸方向の分解能を高めた状態で判定エリアＡ１〜Ａ４を用いた信号波形に対する波形判定を精度良く実行することができる。さらに、入力信号Ｓについての各信号波形Ｗ１〜Ｗ４毎に各判定エリアＡ１〜Ａ４を予め設定することができるため、信号波形が一様でなく複雑な入力信号Ｓに対しても波形判定を行うことができる。
【００２３】
なお、本発明は、上記した構成に限定されない。例えば、上記の構成では、表示部３の時間軸とそれぞれ同じ長さの複数の判定エリアＡ１〜Ａ４を入力信号Ｓ用に設定する例について説明したが、図６に示すように、時間長が十分に長い入力信号Ｓと同じ長さの１つの判定エリアＡを入力信号Ｓ用に設定する構成を採用することもできる。この構成では、制御部５は、ＲＡＭ６に記憶されている波形データＤｗおよび判定エリアＡ用のエリアデータを時間軸に沿って分割表示画面１２〜１５の個数と複数（例えば同数）に分割すると共に、この分割した波形データＤｗおよびエリアデータにそれぞれ対応する信号波形Ｗ１〜Ｗ４および判定エリアＡ１〜Ａ４を縦軸方向に対して圧縮した状態で各分割表示画面１２〜１５に表示させる。この際に、制御部５は、例えば、上記した表示方法と同様にして、図４に示すように、表示部３における表示画面１１の上方に位置する分割表示画面１２側から折り返すようにして信号波形Ｗ１〜Ｗ４を連続的に表示させる。これにより、上記の構成と同様にして、図４に示すように、時間長が十分に長い入力信号Ｓについての各信号波形Ｗ１〜Ｗ４を各判定エリアＡ１〜Ａ４と共に表示部３に表示することができる。したがって、入力信号Ｓの各信号波形Ｗ１〜Ｗ４に対する波形判定を行う際に、時間軸（横軸）方向における波形の潰れや、時間軸方向についての分解能の低下（突発的な変化の取りこぼし）を回避しつつ、入力信号Ｓの各信号波形Ｗ１〜Ｗ４の全体の様子を正確に把握させることができる。
【００２４】
また、上記の構成では、表示画面１１に表示された各分割表示画面１２〜１５のうちの一つに含まれている信号波形Ｗ１〜Ｗ４の一つおよび判定エリアＡ１〜Ａ４の一つを図５に示す拡大した状態（この例では非圧縮の通常状態）で表示画面１１にそれぞれ表示させて波形判定を実行する構成について説明したが、これに限らない。例えば、図４に示すように、各信号波形Ｗ１〜Ｗ４と各判定エリアＡ１〜Ａ４とを表示部３の各分割表示画面１２〜１５に共に表示した状態において、制御部５が、各分割表示画面１２〜１５毎に、分割表示画面１２〜１５にそれぞれ表示されている各判定エリアＡ１〜Ａ４に基づいて各信号波形Ｗ１〜Ｗ４についての波形判定を実行する構成を採用することもできる。この構成によれば、時間軸方向の分解能を高めた状態で入力信号Ｓの信号波形全体に対する判定エリアＡ１〜Ａ４を用いた波形判定を、入力信号Ｓの全体波形（各信号波形Ｗ１〜Ｗ４）を把握させつつ一度に実行することができる。さらに、図４の表示状態において各分割表示画面１２〜１５毎に波形判定を実行すると共に、図５の表示状態においても波形判定を実行し得る構成を採用することもできる。また、上記の構成では、表示画面１１を４つの分割表示画面１２〜１５に分割した例について説明したが、これに限定されず、分割数は複数である限り、任意の数に分割することができる。また、信号波形Ｗ１〜Ｗ４の一つおよび判定エリアＡ１〜Ａ４の一つを非圧縮の通常状態で表示する例について上記したが、圧縮状態での表示よりも圧縮の程度を小さくして（つまり、その圧縮した状態での表示を拡大して）表示することもできるのは勿論である。
【図面の簡単な説明】
【００２５】
【図１】波形判定装置１の構成を示すブロック図である。
【図２】入力信号Ｓの信号波形と各判定エリアＡ１〜Ａ４との関係を説明するための説明図である。
【図３】入力信号Ｓの各信号波形Ｗ１〜Ｗ４を示す波形図である。
【図４】各分割表示画面１２〜１５を表示する表示部３の表示画面図である。
【図５】分割表示画面１４を拡大した状態で表示する表示部３の表示画面図である。
【図６】入力信号Ｓの信号波形と各判定エリアＡとの関係を説明するための説明図である。
【符号の説明】
【００２６】
１  波形判定装置
３  表示部
５  制御部
６  ＲＡＭ
１１  表示画面
１２〜１５  分割表示画面
Ａ，Ａ１〜Ａ４  判定エリア
Ｓ  入力信号
Ｗ１〜Ｗ４  信号波形
【図１】
2005189066.tif 000003
【図２】
2005189066.tif 000004
【図３】
2005189066.tif 000005
【図４】
2005189066.tif 000006
【図５】
2005189066.tif 000007
【図６】
2005189066.tif 000008